(57)【要約】【課題】１つの機器と認証可能な認証端末が複数存在する場合に、認証端末別に認証条件を設定すること。【解決手段】携帯端末１０６と携帯端末１０６の使用者を認証する認証端末１０１とで無線通信を行い、認証端末１０１が携帯端末１０６と認証が取れている場合のみ携帯端末１０６の利用を許可する機器認証システムにおいて、認証端末１０１別に、前記認証が取れたと判断する条件、または／および、前記認証時に利用許可する携帯端末１０６の機能を、携帯端末１０６に備えられた認証条件設定手段１１０により携帯端末１０６の使用環境に応じて変更することにより１つの携帯端末１０６を複数の使用者が使用する際に、認証端末１０１別の認証条件を設けることが可能となる。【選択図】図１
2008079060.tif 000002
【特許請求の範囲】
【請求項１】
機器と、前記機器の使用者を認証する複数の認証端末とで無線通信を行い、前記認証端末が前記機器と認証が取れている場合のみ前記機器の利用を許可する機器認証システムにおいて、
前記認証端末別に、前記認証が取れたと判断する条件、または／および、前記認証時に利用許可する前記機器の機能を、前記機器に備えられた認証条件設定手段により前記機器の使用環境に応じて変更する機器認証システム。
【請求項２】
前記機器は、前記認証条件を記憶するＩＤ別認証条件保持手段を備え、
前記機器と前記認証端末とは、認証端末ＩＤ信号と認証信号とを備えた認証電文を送受信し、前記機器と前記認証端末とで認証が取れた場合において、
前記機器は、認証電文読み取り手段により前記認証電文から前記認証端末ＩＤを読み取り、前記認証端末ＩＤ特有の前記認証が取れたと判断する条件、または／および、前記認証時に利用許可する前記機器の機能を、前記認証条件設定手段により前記機器の使用環境に応じて変更する請求項１に記載の機器認証システム。
【請求項３】
前記機器と複数の前記認証端末とで認証が取れる場合において、
各前記認証端末に優先順位を設け、１台以上の前記認証端末と認証をとり、前記優先順位の高い前記機器の認証条件を設定することとした請求項１に記載の機器認証システム。
【請求項４】
前記機器と複数の前記認証端末とで認証が取れる場合において、
前記認証端末の優先順位は、前記機器と前記認証端末との距離と前記認証条件とを基に決定することとした請求項３に記載の機器認証システム。
【請求項５】
請求項１〜４のいずれか１項記載の機器認証システムの少なくとも一部をコンピュータに実行させるためのプログラム。
【発明の詳細な説明】
【技術分野】
【０００１】
本発明は機器と機器の動作を制御する認証端末とを無線通信で制御する機器認証システムおよびそのプログラムに関するものである。
【背景技術】
【０００２】
従来、この種の機器認証システムは無線伝送路を介した情報通信により他の電子機器からの情報を取得し、この取得した情報をもとに認証の設定／解除を制御している（例えば、特許文献１参照）。
【０００３】
図６は、特許文献１に記載された従来の機器認証システムを示すものである。
【０００４】
図６に示すように、使用者に携帯されるキーコード送信器６０１は、暗号化部６０５にて使用者のキーコードを暗号化し、暗号化されたキーコードＳ１を送信部６０７から間欠的に送信する。
【０００５】
機器に設けられるキーコード受信器６０８は、間欠的に受信動作を行いキーコードＳ１を受信する受信部６１５と、キーコードメモリ６１３に保存されているキーコードと複合化部６０９にて復号されたキーコードとを照合する照合部６１４と、照合結果によりキーコードを認証できたときに機器を使用可能にする信号Ｓ２を出力し、認証できなかった時には使用不可にする信号Ｓ２を出力する。
【０００６】
機器の初期設定は使用不可であり、一定周期で間欠的にキーコード送信器６０１とキーコード受信器６０８とで通信を行い、出力された信号Ｓ２を基に機器の使用設定を変えている。
【特許文献１】特開平１０−４１９３６号公報
【発明の開示】
【発明が解決しようとする課題】
【０００７】
しかしながら、前記従来の構成では、１つの機器を複数の使用者にて共有していた場合、キーコード送信器をも共有しなければならなかった。
【０００８】
例えば会社の機器を上司と部下が共有していた場合、上司が使用する際にアクセスできる情報でも部下にはアクセスされたくない、もしくは上司が行える作業でも部下にはさせたくない場合、機器の認証を行った後にさらに上司か部下かを判別する動作が必要だった。
【０００９】
認証後は基本動作のみ使用許可になり、他の動作を行う際には再度上司にのみアクセスできるような方法、例えばパスワード入力、などにより判別するしかなかった。
【００１０】
しかし使用者の数も増え、アクセス制限の種類が増えると共に、機器の使用が不便になる。
【００１１】
本発明は、前記従来の課題を解決するもので、１つの機器と認証可能な認証端末が複数存在する場合に、認証端末別に認証条件を設定することを目的とする。
【課題を解決するための手段】
【００１２】
前記従来の課題を解決するために、本発明の機器認証システムは、機器と前記機器の使
用者を認証する認証端末とで無線通信を行い前記認証端末が前記機器と認証が取れている場合のみ前記機器の利用を許可する機器認証システムにおいて、前記認証端末別に、前記認証が取れたと判断する条件、または／および、前記認証時に利用許可する前記機器の機能を、前記機器に備えられた認証条件設定手段により前記機器の使用環境に応じて変更するとしたものである。
【００１３】
これによって、１つの機器を複数の使用者が使用する際に、認証端末別の認証条件を設けることが可能となる。
【発明の効果】
【００１４】
本発明の機器認証システムは、認証端末のＩＤを判別しそれに応じた機器の認証条件を設定することができる。
【発明を実施するための最良の形態】
【００１５】
第１の発明は機器と前記機器の使用者を認証する認証端末とで無線通信を行い前記認証端末が前記機器と認証が取れている場合のみ前記機器の利用を許可する機器認証システムにおいて、前記機器認証システムは前記機器と複数の前記認証端末とを備え、前記認証端末別に、前記認証が取れたと判断する条件、または／および、前記認証時に利用許可する前記機器の機能を、前記機器に備えられた認証条件設定手段により前記機器の使用環境に応じて変更する。これにより、認証端末別に認証条件を設定することができる。
【００１６】
第２の発明は、特に、第１の発明の前記機器認証システムにおいて、前記機器は前記認証条件を記憶するＩＤ別認証条件保持手段を備え、前記機器と前記認証端末は認証端末ＩＤ信号と認証信号とを備えた認証電文を送受信し、前記機器と前記認証端末とで認証が取れた場合において、前記機器は前記認証電文から認証電文読み取り手段により前記認証端末ＩＤを読み取り、前記認証端末ＩＤ特有の前記認証が取れたと判断する条件、または／および、前記認証時に利用許可する前記機器の機能を前記認証条件設定手段により前記機器の使用環境に応じて変更する。
【００１７】
これにより認証が取れた認証端末ＩＤを認識し、そのＩＤに伴った認証条件を設定することができる。
【００１８】
第３の発明は、特に第１の発明において、前記機器と複数の前記認証端末とで認証が取れる場合において、各前記認証端末に優先順位を設け、１台以上の前記認証端末と認証をとり、前記優先順位の高い前記機器の認証条件を設定する。
【００１９】
これにより、前記機器と認証可能な前記認証端末が複数台存在する場合、認証通信を行う端末を的確に選択することが可能となる。
【００２０】
第４の発明は、特に第３の発明において、前記機器と複数の前記認証端末とで認証が取れる場合において、前記認証端末の優先順位は、前記機器と前記認証端末との距離と前記認証端末の認証条件が許可する前記機器の使用権限を基に決定する。
【００２１】
これにより、複数の要素を基に前記認証端末の優先順位を決定することとなり、バランスよく優先順位を振り分けることができる。
【００２２】
第５の発明は、特に、第１〜４のいずれかひとつの発明の少なくとも一部をプログラム化することにより、電気・情報機器、コンピュータ、サーバー等のハードリソースを協働させて本発明の機器認証システムの少なくとも一部を容易に実現することができる。
【００２３】
以下、本発明の実施の形態について、図面を参照しながら説明する。なお、この実施の形態によって本発明が限定されるものではない。
【００２４】
（実施の形態１）
図１は、本発明の実施の形態１における機器認証システムと周辺機器の構成図を示すものである。
【００２５】
図２は本発明の実施の形態１における認証開始時からの機器認証システムの動作を示すフローチャートである。
【００２６】
図３は本発明の実施の形態１における認証条件保持手段が保持する認証条件を説明する図である。
【００２７】
図４は本発明の実施の形態１における複数の認証端末１０１が認証範囲内に存在する場合のフローチャートである。
【００２８】
図５は本発明の実施の形態１における認証端末ＩＤ登録時と認証条件変更時の機器認証システムの動作を示すフローチャートである。
【００２９】
本実施の形態１では機器を携帯端末として説明をするが、機器はこれに限るものではない。
【００３０】
図１において、認証端末１０１ａ〜ｃは、認証端末表示手段１０２ａ〜ｃと、認証端末ＩＤ保持手段１０３ａ〜ｃと、認証端末報知手段１０４ａ〜ｃと、認証端末送受信機１０５ａ〜ｃとからなる。
【００３１】
携帯端末１０６は、携帯端末報知手段１０７と、ＩＤ別認証条件保持手段１０８と、携帯端末送受信機１０９と、認証条件設定手段１１０と、携帯端末表示手段１１１と、認証電文読み取り手段１１２とからなる。
【００３２】
認証端末送受信機１０５は認証電文を携帯端末送受信機１０９へ送信し、前記認証電文を受信した際には認証電文読み取り手段１１２にて認証電文から認証端末ＩＤを読み取り、認証条件設定手段１１０にてＩＤ別認証条件保持手段１０８の中から読み取った認証端末ＩＤに応じた認証条件を選択し設定する。
【００３３】
認証が取れなかった場合や不正なＩＤを受信した際には携帯端末報知手段１０７から音、光、振動、またはそれらの組み合わせを用いて報知、もしくは携帯端末表示手段１１１に認証状態を表示、もしくは両方を行う。
【００３４】
以上のように構成された機器認証システムについて、以下、図１〜図４を用いてその動作、作用を説明する。
【００３５】
まず図２のフローチャートに沿って認証開始時からの動作を説明する。
【００３６】
本実施の形態１では図１に示すように携帯端末１０６と認証端末１０１ａからｃまでの３台の認証端末が認証システム内に存在する場合について説明するが、認証端末の個数はこれに限るものではない。
【００３７】
Ｓ１にて認証端末１０１ａから携帯端末１０６へ認証電文を送信する。認証端末１０１ａから１０１ｃまでの１つ以上の認証端末１０１が携帯端末１０６と認証可能だが、ここ
では使用者ａのみが携帯端末１０６と認証可能な範囲に居ることとする。
【００３８】
携帯端末１０１と認証電話１０６とは一定の受信レベル強度で通信が行える場合は認証可とし、一定の受信レベル以下、もしく通信ができない場合は認証不可とする。
【００３９】
Ｓ２にて携帯端末１０６にて認証電文を受信した際にはＳ３にて認証電文読み取り手段１１２にて認証電文から認証端末ＩＤを読み取る。
【００４０】
ここで認証電文はデータ信号にヘッダー部を設け、ヘッダー部に認証端末ＩＤを記載することや、データ信号内に認証端末ＩＤを含ませることが可能である。
【００４１】
認証端末ＩＤをすばやく判別する必要のある場合は、例えば認証可と判別する基準値、例えば受信レベル強度、を認証端末１０１ごとに変更し複数の端末を区別し、その際の基準値はヘッダー部に記載する。
【００４２】
Ｓ２にて携帯端末１０６にて認証電文を受信できなかった場合には認証動作をはじめから開始する。
【００４３】
認証電文から認証端末ＩＤを読み取った後には、Ｓ４にて認証条件設定手段１１０にて前記認証ＩＤと前回認証動作を行った際のＩＤと比較をする。
【００４４】
Ｓ４にて前回とＩＤが同じだった場合はＳ９にて認証条件設定の変更は無しとし、次の認証タイミングにて認証動作を開始する。
【００４５】
Ｓ４にて前回とＩＤが異なる場合は、Ｓ５にて読み出したＩＤに伴った認証条件を認証条件設定手段１１０がＩＤ別認証条件保持手段１０８から選択し、設定をする。
【００４６】
ここで認証条件について詳しく説明をする。
【００４７】
認証条件とは図３（ａ）から（ｃ）に示す３つの例が考えられる。
【００４８】
図３（ａ）に記載されている認証条件は認証端末１０１と携帯端末１０６が認証されていると判定する受信電界強度である。
【００４９】
レベル１は認証動作開始時に認証状態へ移行する際に必要な受信電界強度であり、レベル２は認証状態から外れる際の強度を示し、レベル３は非認証状態から認証状態へ移行する際に必要な強度を示す。
【００５０】
例えばＩＤ００１の認証条件は認証状態へ最初に入るレベルが高いが、一度認証すると比較的低い電界強度でも認証状態を維持できるため、周りに人があまり居ない環境で使用する際に適している。
【００５１】
ＩＤ００３は認証状態へ入るレベルも認証状態から外れるレベルも高い為、混雑した場所で使用する際に適している。
【００５２】
次に図３（ｂ）には携帯端末１０６を携帯電話とした場合に、認証端末ＩＤごとに携帯電話の操作制限を設ける条件を記載している。
【００５３】
ＩＤ００１の認証端末１０１は通話料金やメール料金が比較的安く、通話時間が比較的短く、使用可能なアドレス帳もＡのみと限られており、子供や若いユーザー向けである。
【００５４】
反対にＩＤ００３の認証端末１０１は携帯端末１０６の責任者向けであり、アドレス帳も全てアクセスできるようになっている。
【００５５】
最後に図３（ｃ）では認証端末１０１別の報知方法を示している。
【００５６】
認証が取れなかった場合の報知音や報知光の色、登録した電話番号へ通報をするか否か、またどの報知方法を使用するかを設定することができる。
【００５７】
報知音や報知光は携帯端末１０６と認証端末１０１の両方、もしくは片方のみから報知することも可能である。
【００５８】
なお、図３の認証条件は一例であり、これに限るものではない。
【００５９】
次にＳ６にて認証条件の設定が完了したことを伝える応答電文を携帯端末送受信機１０９から認証端末送受信機１０５へ送信し、Ｓ７にて認証端末送受信機１０９にて前記応答電文を受信した際には受信完了電文を携帯端末１０６へ送信し、Ｓ８にて認証条件設定を終了とする。
【００６０】
ここでＳ７にて認証端末送受信機１０９にて応答が受信できなかった場合、Ｓ１１にて携帯端末報知手段１０７から光、音、文字列、振動、のうち１つ以上を用いて受信失敗を報知する。
【００６１】
ここで携帯端末１０６は前記応答電文を送信してから一定時間以上受信完了電文が受信できなかった場合には受信失敗とする。
【００６２】
そしてＳ１０にて受信失敗の回数が予め設定された回数、ｎ、以上であれば認証通信失敗とし認証動作を始めからやり直す。ｎ回未満であればＳ６にて携帯端末送受信機１０９から再度条件設定完了電文を送信する。
【００６３】
以上のように、本実施の形態においては携帯端末１０６と携帯端末１０６の使用者を認証する認証端末１０１とで無線通信を行い認証端末１０１が携帯端末１０６と認証が取れている場合のみ携帯端末１０６の利用を許可する機器認証システムにおいて、機器認証システムは携帯端末１０６と複数の認証端末１０１とを備え、認証端末１０１別に認証条件を認証条件設定手段１１０により設定する。
【００６４】
また同時に複数の認証端末１０１から認証電文が送られてきた場合を考慮し、各認証端末ＩＤに優先順位を設け、認証電文には前記優先順位を示す信号を入れておく。
【００６５】
ここで優先順位の設け方について説明する。
【００６６】
例えば母親と娘が１つの携帯電話を使用している場合、母親の方が多くの機能を使用でき使用権限が高いとする。ここで使用権限が最も高い場合をレベル１とし、低くなるにつれてレベル値を上げていくこととする。
【００６７】
ところが使用権限のみで優先順位を決めてしまうと、優先順位が高い使用者が認証範囲内に入るたびに優先順位が低い使用者が使用できなくなってしまう可能性があるので、使用権限に加えて使用者と携帯端末１０６の距離をも考慮して優先順位を決定する。
【００６８】
認証端末１０１と携帯端末１０６との距離は受信した信号の受信レベルから判断してお
り、受信信号レベルが高いほど認証端末１０１と携帯端末１０６との距離が近い。
【００６９】
ここで例えば携帯端末１０６からの距離が５０ｃｍ、１ｍ離れに相当する受信レベルごとに数値を割り当て、一番近い領域を領域１とし遠くなるにつれて領域値を上げていくこととする。
【００７０】
そして優先順位は使用権限と距離の数値の合計とし、合計値が小さいほど優先順位が高いこととする。すなわち携帯端末のより多くの機能が使用でき（レベル１）、携帯端末１０６に一番近い場所に居る（領域１）使用者が最優先される。
【００７１】
同じ優先順位の使用者が二人以上認証範囲内に存在する場合は、予め携帯端末１０６にて認証条件設定手段１１０により優先順位が同じ場合に比較する項目、距離もしくは使用権限、を設定する。
【００７２】
すなわち距離と設定されている場合には近い携帯端末１０１に優先権が、使用権限と設定されている場合には権限の高い携帯端末１０１が優先される。
【００７３】
ここでも優先順位が同じ場合には時間的に早く認証された携帯端末１０１を優先することとする。
【００７４】
また使用権限よりも距離を優先して優先順位をつけたい場合は使用権限の数値と距離の数値を数倍にした値を合計することも可能である。同じように距離を優先する合計値のもとめ方を使用することも可能である。
【００７５】
ここで図４の複数の認証端末１０１が認証範囲内に存在する場合のフローチャートを用い動作を説明する。
【００７６】
最初に認証端末１０１ａが携帯端末１０６との認証が取れており、携帯端末１０６は１０１ａの認証条件が設定されているとする。
【００７７】
まずＳ４０１にて新たな認証端末１０１ｂが携帯端末１０６との認証が取れる距離に入ってくる。
【００７８】
Ｓ４０２にて携帯端末１０６が複数台の認証端末１０１と同時認証可能な端末であるかを判断する。ここで同時認証とは、１つの携帯端末１０６が同時に２台以上の認証端末１０１と認証通信を行うことが可能な状態を言う。
【００７９】
Ｓ４０２にて同時認証可能な端末である場合は、Ｓ４０３にて１０１ａとの認証通信は継続し、１０１ｂとの認証通信をも開始する。
【００８０】
次にＳ４０４にて認証端末１０１ａと１０１ｂの優先順位を比較する。
【００８１】
認証端末１０１ａの優先順位の方が認証端末１０１ｂの順位よりも高い場合はＳ４０５にて携帯端末１０６は１０１ａの認証条件設定を継続する。
【００８２】
そしてＳ４０６にて認証端末１０１ａと携帯端末１０６の認証が継続される限り、１０１ｂも１０１ａの条件で携帯端末１０６を認証端末１０１ａの条件で使用可とする。
【００８３】
ここで偶然に認証端末１０１ａと携帯端末１０６の認証通信が行われ、優先順位の低い認証端末１０１保持者に優先順位の高い認証設定を悪用されないために、Ｓ４０６動作時
には下記の動作のいずれかもしくは２つ以上の組み合わせを行うことも可能である。
【００８４】
（１）複数台の認証端末１０１との認証を許可する際には、優先順位を距離（たとえば受信レベル）から算出し、携帯端末１０６に最も近い認証端末１０１のみが認証可能とする。
【００８５】
（２）認証条件を設定している端末、ここでは認証端末１０１ａ、に定期的に確認信号を送信し使用者にボタン操作などを要求する。
【００８６】
（３）認証条件が設定されている認証端末１０１ａにて振動、光、音、のいずれかもしくは２つ以上を用いて認証条件設定時、もしくは定期的に認証条件が設定されていることを報知する。
【００８７】
次にＳ４０７にて認証端末１０１ａが認証から外れた場合には、Ｓ４０８にて認証を継続している認証端末１０１ｂの認証条件を認証条件設定手段１１０にて携帯端末１０６に設定する。
【００８８】
Ｓ４０７にて認証端末１０１ａが認証を継続する限り、Ｓ４０５からの動作を継続する。
【００８９】
次にＳ４０４にて認証端末１０１ａの優先順位の方が１０１ｂよりも低い場合はＳ４０９にて携帯端末１０６に認証端末１０１ｂの認証条件を認証条件設定手段１１０にて設定する。
【００９０】
そしてＳ４１５にて認証端末１０１ｂと携帯端末１０６の認証が継続される限り、認証端末１０１ａも認証端末１０１ｂの認証条件で携帯端末１０６を使用できる。
【００９１】
Ｓ４１６にて認証端末１０１ｂが認証から外れた場合は、Ｓ４１７にて認証を継続している認証端末１０１ａの認証条件を認証条件設定手段１１０にて携帯端末１０６に設定する。
【００９２】
Ｓ４１６にて認証端末１０１ｂが認証を継続するかぎり、Ｓ４１５からの動作を継続する。
【００９３】
次にＳ４０２にて携帯端末１０６が拭く数台の認証端末１０１と同時認証が不可能な端末である場合、Ｓ４１１にて認証端末１０１ａと認証端末１０１ｂの優先順位を比較する。
【００９４】
認証端末１０１ａの優先順位の方が認証端末１０１ｂのよりも高い場合は、Ｓ４１０にて認証端末１０１ｂは非認証とし、認証端末１０１ａと携帯端末１０６との認証通信動作を継続する。
【００９５】
Ｓ４１１にて認証端末１０１ｂの方が優先順位が高い場合はＳ４１２にて１０１ａは認証動作を中止する。この際認証端末表示手段１０１ａにて「認証動作を中止します」と表示することも可能である。
【００９６】
次にＳ４１３にて携帯端末１０６と認証端末１０１ｂとの認証をとり、Ｓ４１４にて認証が確立しだい、もしくは指定した時間後に携帯端末１０６の認証条件を認証端末１０１ｂに適した条件に認証条件設定手段１１０にて変更する。
【００９７】
この際、認証条件を変更するタイミングは認証条件設定手段１１０に予め保存するかＩＤ別認証条件保持手段１０８に各ＩＤの変更タイミングを保持することも可能である。
【００９８】
認証が取れるまでの間は認証端末表示手段１０２ａにて「しばらくお待ちください、認証中」などといった表示を行うことも可能である。
【００９９】
ここで認証条件が設定されている認証端末１０１については光の点滅や点灯、認証端末表示手段１０２にて「認証条件設定中」などの文字表示を行い、携帯端末１０６にては携帯端末表示手段１１１にて認証端末１０１のＩＤを表示することも可能である。
【０１００】
次に認証端末ＩＤを登録する動作そして認証条件を更新する動作について図５（ａ）と（ｂ）とを用いて説明する。
【０１０１】
まず図５（ａ）において、認証電文を受信した携帯端末１０６が認証電文読み取り手段１１２にて認証端末ＩＤを読み取った際に、読み取ったＩＤがＩＤ別認証条件保持手段１０８に存在しない場合は、携帯端末送受信機１０９から認証端末送受信機１０５へＩＤ登録要求電文を送信する。
【０１０２】
前記ＩＤ登録要求電文を受信した認証端末１０１は、認証端末ＩＤ保持手段１０３に保持されている認証端末ＩＤと認証条件をＩＤ登録電文として携帯端末１０６へ送信し、携帯端末１０６は認証条件設定手段１１０にてＩＤ別認証条件保持手段１０８に認証条件を追加する。
【０１０３】
次に図５（ｂ）において、認証端末１０１上で認証条件の更新があった場合は、認証端末１０１から携帯端末１０６へ送信する認証電文に更新条件信号を加える。
【０１０４】
認証端末１０１に入力手段を設けることにより認証端末１０１から認証条件を更新することを可能とする。
【０１０５】
携帯端末１０６は認証電文読み取り手段１１２にて更新条件信号を読み取った際に、更新条件要求電文を認証端末１０１へ携帯端末送受信機１０９から送信する。
【０１０６】
認証端末送受信機１０５にて更新条件要求電文を受信した際には認証端末ＩＤ保持手段１０３に保持されている認証端末ＩＤと更新された認証条件をＩＤ登録電文として携帯端末１０６へ送信し、携帯端末１０６は認証条件設定手段１１０にてＩＤ別認証条件保持手段１０８の認証条件を更新する。
【０１０７】
また携帯端末１０６を直接パソコンなどの電子機器に接続し、認証条件を更新することも可能である。この場合は認証条件を更新した際に携帯端末１０６から更新条件電文を認証端末１０１へ送信する。
【０１０８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１０９】
以上のように、本発明は、使用者特有の設定に変更することが可能となるので、携帯端
末のほかに入出門管理やコンピュータの使用者設定などの用途にも適用できる。
【図面の簡単な説明】
【０１１０】
【図１】本発明の実施の形態１における機器認証システムと周辺機器の構成図
【図２】本発明の実施の形態１における認証開始時からの機器認証システムの動作を示すフローチャート
【図３】本発明の実施の形態１における認証条件保持手段が保持する認証条件を説明する図
【図４】本発明の実施の形態１における複数の認証端末１０１が認証範囲内に存在する場合のフローチャート
【図５】本発明の実施の形態１における認証端末ＩＤ登録時と認証条件変更時の機器認証システムの動作を示すフローチャート
【図６】従来の機器認証システムの構成図
【符号の説明】
【０１１１】
１０１  認証端末
１０６  携帯端末（機器）
１０８  ＩＤ別認証条件保持手段
１１０  認証条件設定手段
１１２  認証電文読み取り手段
【図１】
2008079060.tif 000003
【図２】
2008079060.tif 000004
【図３】
2008079060.tif 000005
【図４】
2008079060.tif 000006
【図５】
2008079060.tif 000007
【図６】
2008079060.tif 000008